(57)【要約】【課題】  例えば、２方向及び４方向カセット型のいわゆる主要部品の共通化を図ることができる天井埋込型空気調和装置を提供する。【解決手段】  遠心送風機１１と、この遠心送風機の周囲に配置された熱交換器２１と、この熱交換器の下面を覆うドレンパン１６とを筐体２の内部に収容し、この筐体２の開口部に化粧パネル７を配置し、この化粧パネル７の吸込口から吸い込んだ空気を、化粧パネル７の側縁に沿って形成された吹出口４から吹き出す天井埋込型空気調和装置である。筐体２内には全ての側壁２Ａ〜２Ｄに沿って夫々吹き出し空間２３Ａ〜２３Ｄを形成し、任意の吹き出し空間２３Ａ〜２３Ｄを化粧パネル７の吹出口４に連通可能に構成した。【選択図】      図３
2005155951.tif 000002
【特許請求の範囲】
【請求項１】
遠心送風機と、この遠心送風機の周囲に配置された熱交換器と、この熱交換器の下面を覆うドレンパンとを筐体の内部に収容し、この筐体の開口部に化粧パネルを配置し、この化粧パネルの吸込口から吸い込んだ空気を、当該化粧パネルの側縁に沿って形成された吹出口から吹き出す天井埋込型空気調和装置において、
前記筐体内には全ての側壁に沿って夫々吹き出し空間を形成し、任意の吹き出し空間を前記化粧パネルの前記吹出口に連通可能に構成したことを特徴とする天井埋込型空気調和装置。
【請求項２】
前記化粧パネルの吹出口に連通しない残りの吹き出し空間を塞ぐ閉塞部材を備えたことを特徴とする請求項１記載の天井埋込型空気調和装置。
【請求項３】
前記化粧パネル及び前記筐体がほぼ正方形状に形成されていることを特徴とする請求項１又は２記載の天井埋込型空気調和装置。
【請求項４】
前記化粧パネルの２つの側縁に沿って夫々吹出口が形成されていることを特徴とする請求項１乃至３のいずれか一項記載の天井埋込型空気調和装置。
【請求項５】
前記化粧パネルの４つの側縁に沿って夫々吹出口が形成されていることを特徴とする請求項１乃至３のいずれか一項記載の天井埋込型空気調和装置。
【発明の詳細な説明】
【技術分野】
【０００１】
本発明は、天井裏に埋め込まれる筐体と、天井に露出して筐体の開口を覆う化粧パネルとを有した天井埋込型空気調和装置に関する。
【背景技術】
【０００２】
一般に、遠心送風機の周囲に円形、もしくは多角形で当該送風機を囲むように熱交換器を配置し、送風機の下部から吸った室内空気を、熱交換器を通して熱交換し、この熱交換した空調空気を室内に吹出す形式の天井埋込型空気調和装置が知られている（例えば、特許文献１参照）。この種のものでは、天井裏に埋め込まれる筐体と、天井に露出して筐体の開口を覆う化粧パネルとを有し、この化粧パネルの４辺に吹出口（４方向カセット型）を備え、或いは２辺に吹出口（２方向カセット型）を備えて構成される。
【０００３】
４方向カセット型では、一般に、遠心送風機にターボファンが用いられる。ターボファンが用いられた場合、熱交換器は、ターボファンに対してほぼ均等に離れた位置に配置されるのが望ましく、その構造物は小型化、高効率化の視点から見ると結果的に、ほぼ正方形の筐体内に収められる。また、正方形の筐体を持つユニットでは、正方形の化粧パネルを備えて構成され、実際にはオフィスに良く見られる簡易な天井板（ジプトーン約９００ｍｍ角）１枚をはずした正方形の開口部に吊りボルトも含めてユニットがちょうど収まるサイズになっており、施工性が向上されている。
【０００４】
このように、４方向カセット型は、空調機として小型化、高効率化、施工性向上を実現しており、市場でも評価されている一方、広いオフィスに複数台の空調機を一定間隔で配置する場合、温度分布の点からはそれぞれに４つずつの吹出口がある必要はなく、むしろ必要以上に吹出口が多く、四方八方に気流が吹出すことから、不快な気流が直接人に当たりやすいという問題がある。また、オフィスのインテリアでは照明器具をライン上に整然と並べる天井がよく見受けられるが、空調機もデザインに方向性を持たせて、照明のラインに合わせることで、オフィス天井をすっきりと見せようとする傾向がある。このような場合、４方向カセット型では、一部の吹出口が照明ラインに直交してしまうため、そうでないものに比べ、意匠性が損なわれるという問題がある。
【０００５】
これに対して、従来では、２方向カセット型が提案されている。この２方向カセット型では、２つの吹出口による方向性を照明ラインの方向性と合わせることができるため、インテリアのデザイン性を向上させようとする建築デザイナーの意図を、十分反映させることができるという利点がある。
【０００６】
上述したように、２方向及び４方向カセット型には、夫々の有用な利点があるため、一般的に、使い分けされている。
【特許文献１】特開平５−１８７６４９号公報
【発明の開示】
【発明が解決しようとする課題】
【０００７】
しかし、従来の構成では、例えば、２方向及び４方向カセット型を別々に設計し、かつ施工しており、主要部品の共通化が図られていない。
【０００８】
そこで、本発明の目的は、上述した従来の技術が有する課題を解消し、例えば、２方向及び４方向カセット型の、いわゆる主要部品の共通化を図ることができる天井埋込型空気調和装置を提供することにある。
【課題を解決するための手段】
【０００９】
本発明は、遠心送風機と、この遠心送風機の周囲に配置された熱交換器と、この熱交換器の下面を覆うドレンパンとを筐体の内部に収容し、この筐体の開口部に化粧パネルを配置し、この化粧パネルの吸込口から吸い込んだ空気を、当該化粧パネルの側縁に沿って形成された吹出口から吹き出す天井埋込型空気調和装置において、前記筐体内には全ての側壁に沿って夫々吹き出し空間を形成し、任意の吹き出し空間を前記化粧パネルの前記吹出口に連通可能に構成したことを特徴とする。
【００１０】
この場合において、前記化粧パネルの吹出口に連通しない残りの吹き出し空間を塞ぐ閉塞部材を備えていてもよい。
【００１１】
また、前記化粧パネル及び前記筐体がほぼ正方形状に形成されていてもよい。
【００１２】
さらに、前記化粧パネルの２つの側縁に沿って夫々吹出口が形成されていてもよい。
【００１３】
また、前記化粧パネルの４つの側縁に沿って夫々吹出口が形成されていてもよい。
【発明の効果】
【００１４】
本発明では、筐体内には全側壁に沿って夫々吹き出し空間を形成し、任意の吹き出し空間を化粧パネルの吹出口に連通させる構成としたから、例えば、２方向及び４方向カセット型の主要部品の共通化を図ることができる。
【発明を実施するための最良の形態】
【００１５】
以下、図面を参照して本発明の一実施の形態について説明する。
【００１６】
図１は、本実施形態による２方向カセット型空調機の断面図、図２は、同じく平面図である。図１において、１は天井埋込型空気調和機を示す。
【００１７】
この天井埋込型空気調和機１は、天井内部に収納される板金製の筐体２と、この筐体２の下面に配置される化粧パネル７（図２）であって、外周部の２辺に吹出口４を有し、天井孔５を塞ぐように天井面６に設けられた化粧パネル７と、この化粧パネル７に形成される開口の中央に配置され、その周囲に当該中央開口に連なる吸込口３が形成された遮蔽パネル８とにより構成されている。９は化粧パネル７の吹出口４に設けられた風向変更用のフラップである。
【００１８】
１１はターボファン１２と、天板１３に取り付けられたモータ１４とからなる遠心送風機、１５は吸込口３からの室内空気をターボファン１２に案内するノズル口、１６は熱交換器２１の下面を覆うように配置され、角張った環形状に発泡スチロールで形成されたドレンパン、２１はターボファン１２の吐出側にこのファンを取り囲むように環状に配置されたプレートフィン型の熱交換器である。
【００１９】
そして、２３は熱交換器２１で熱交換された空気を吹出口４へ導く吹き出し空間、２４は筐体２を吊具で天井梁に吊下げるための吊下げボルト、２５は遮蔽パネル８の下流側に取り付けられたフィルタである。
【００２０】
板金製の筐体２は、図３に示すように、４辺２Ａ〜２Ｄの長さがほぼ等しい正方形の外観形状を呈し、その内部には、上記の送風機１１，ドレンパン１６及びプレートフィン型の熱交換器２１が、全ての側壁２Ａ〜２Ｄに沿う、上記の吹き出し空間２３Ａ〜２３Ｄを残して配置されている。
【００２１】
化粧パネル７は、筐体２と同様に、４辺７Ａ〜７Ｄの長さがほぼ等しい正方形の外観形状を呈している。この化粧パネル７の裏面（筐体２に対向する面）には、その内側に吸込口３を形成するための、ほぼ正方形状の張り出し部４１が形成され、この張り出し部４１の４辺の長さは、夫々筐体２の側壁２Ａ〜２Ｄの長さに等しく形成されている。化粧パネル７のほぼ中央には開口を有し、図１に示すように、この開口のほぼ中央には遮蔽パネル８が設けられている。
【００２２】
上記構成では、２方向カセット型空調機が対象となっており、図３及び図４に示すように、その吹出口４は２つである。
【００２３】
２つの吹出口４は、化粧パネル７の対向する２辺７Ａ，７Ｃに沿って形成され、各吹出口４は、筐体２の内法にほぼ相当する長さを有する。２つの吹出口４は、筐体２の側壁２Ａ，２Ｃに沿う、吹き出し空間２３Ａ，２３Ｃに夫々連通し、残りの吹き出し空間２３Ｂ，２３Ｄは、図４に示すように、化粧パネル７の張り出し部４１に貼設された閉塞部材４３によって閉塞される。４５は化粧パネル７に設けられた連結ねじの貫通孔、４７はドレンパン１６に設けられた連結ねじ孔である。
【００２４】
この閉塞部材４３は、単に、吹き出し空間２３Ｂ，２３Ｄを閉塞しておらず、熱交換器２１から当該吹き出し空間２３Ｂ，２３Ｄに吹き出される調和空気を、ほかの吹き出し空間２３Ａ，２３Ｃに導く機能を有して構成される。即ち、閉塞部材４３には、長手方向のほぼ中間であって、短手方向の外側端に位置する頂点４３Ａを最も高くし、そこから長手方向の両端部４３Ｂに向けて、その高さが徐々に低くなると共に、短手方向の内側端４３Ｃに向けて、その高さが徐々に低くなる傾斜面４３Ｄが形成され、この傾斜面４３Ｄに沿って、吹き出し空間２３Ｂ，２３Ｄに吹き出された調和空気が、ほかの吹き出し空間２３Ａ，２３Ｃに導かれる。
【００２５】
図３及び図４を参照し、筐体２の一つの側壁２Ｂには、液冷媒配管の接続口６１Ａと、ガス冷媒配管の接続口６１Ｂと、ドレン配管の接続口６３とがまとめて導出されている。空調機１の施工時には、天井裏に吊りボルト２４によって筐体２を吊り下げた後、各接続口６１Ａ，６１Ｂ，６３に、室外機（図示せず）に接続される外部冷媒配管と、ドレンを排出するドレン排出ホースとが接続される。
【００２６】
本構成では、筐体２側をそのままにして、化粧パネル７だけを変更することにより、図５及び図６に示すように、２方向カセット型空調機を、いわゆる４方向カセット型空調機に仕様変更することができる。
【００２７】
この場合、化粧パネル７には全ての辺７Ａ〜７Ｄに沿って吹出口４が形成され、４つの吹出口４は、筐体２の全ての側壁２Ａ〜２Ｄに沿う、全ての吹き出し空間２３Ａ〜２３Ｄに夫々連通する。４つの吹出口４は、２方向カセット型のそれに比べて、夫々長さが短く設定される。化粧パネル７の張り出し部４１の４隅には、接着剤或いは接着テープなどにより閉塞部材５３が貼設され、この閉塞部材５３により、各吹き出し空間２３Ａ〜２３Ｄが交わる４隅が閉塞される。この閉塞部材５３は、単に、吹き出し空間２３Ａ〜２３Ｄが交わる４隅を閉塞せず、当該４隅に吹き出される調和空気を、化粧パネル７の各吹出口４に導く機能を有する。即ち、閉塞部材５３には、各吹き出し空間２３Ａ〜２３Ｄが交わる４隅を閉塞するための平坦面５３Ａと、この平坦面５３Ａに連なって延びる傾斜面５３Ｂとが形成され、この傾斜面５３Ｂに沿って、当該４隅に吹き出される調和空気が、化粧パネル７の各吹出口４に導かれる。
【００２８】
この化粧パネル７は、図７及び図８に示すように、略中央部に開口を有し、この開口に吸込グリル４８を備えて構成される。なお、上述したように、化粧パネル７以外の構成は、図１及び図２の構成とほぼ同じである。
【００２９】
図９は、別の実施形態を示す。
【００３０】
この実施形態では、ドレンパン１６の４隅に突出部１６Ａが設けられ、この突出部１６Ａが、筐体２の内壁に連結される。この構成では、４つの吹き出し空間２３Ａ〜２３Ｄの内、吹き出し空間２３Ａ，２３Ｃの長さが、ほかの吹き出し空間２３Ｂ，２３Ｄの長さよりも長く形成される。従って、２方向カセット型では、長さが短い吹き出し空間２３Ｂ，２３Ｄが閉塞され、長さが長い吹き出し空間２３Ａ，２３Ｃが使用される。この構成によれば、４つの突出部１６Ａが、筐体２の内壁に連結されるため、ドレンパン１６を強固に固定することができる。
【００３１】
図１０は、別の実施形態を示す。
【００３２】
この実施形態では、上記実施形態の構成の内、いわゆる閉塞部材が省略される。図１０Ａは筐体２を示し、この筐体２に関しては上記実施形態の構成と同じである。この筐体２に対し、図１０Ｂに示す２方向吹出しのパネル７を組み合わせた場合、２方向カセット型空調機が提供され、図１０Ｃに示す４方向吹出しのパネル７を組み合わせた場合、４方向カセット型空調機が提供される。
【００３３】
いずれの場合も、上述した実施形態と異なり、閉塞部材が省略されるが、この構成であっても実用上支障はない。
【００３４】
図１１では、部屋の天井の照明ラインＬ１が、天井一杯に延びており、各照明ラインＬ１の間に、天井埋込型空気調和機１が適宜の間隔をあけて配置される。図１２では、部屋の天井の照明ラインＬ２が、天井埋込型空気調和機１を挟むように延びており、各照明ラインＬ２及び天井埋込型空気調和機１が、夫々適宜の間隔をあけて配置される。図１１及び図１２に示すように、照明ラインが一方向に延びる場合、デザイン的には、その方向にのみ吹出口４が延びる２方向カセット型が好適である。一方、図１３では、部屋の天井の照明ラインＬ３が、格子状に延びており、各照明ラインＬ３の間に、天井埋込型空気調和機１が配置される。図１４では、部屋の天井の照明Ｌ４が、空調機と同じ角形であり、空調機と照明Ｌ４が混在して千鳥状に配置される。図１３及び図１４に示すように、照明ラインが一方向及びこれに直交する他方向に延びる場合には、これらと同方向に吹出口４が延びる４方向カセット型が好適である。
【００３５】
上述した天井埋込型空気調和機１では、同一の筐体（空調機本体ユニット）２に対して、いわゆる４方向吹出しのパネルと、２方向吹出しのパネルのどちらでも組み合わせが自在であるため、空調機としての性能を同じくしたまま、４方向吹出し及び２方向吹出しの２種類の空調機を提供できる。
【００３６】
これにより、設計の共通化、部品の共通化が図れ、効率的な開発、製造、在庫管理、さらにはサービスパーツの削減などを図ることができる。
【００３７】
また、施工上も、４方向及び２方向が混在する現場では、その区別をすることなく、能力を確認するだけで、筐体（空調機本体ユニット）２を吊り込む作業を行うことができるため、従来に比べ、かなり効率のよい作業が可能になる。
【００３８】
さらに、設置後に、４方向から２方向、或いは２方向から４方向への交換が必要になっても、パネル交換だけでその要求に対応できる。
【００３９】
また、上述した天井埋込型空気調和機１では、筐体２がほぼ正方形であるため、一般に普及された簡易天井パネル（ジプトーン）１枚を外した場合、そこにぴったり収まるサイズになり、施工性を向上させることができる。なお、目安として本体は約８５０ｍｍ角、パネルは約９５０ｍｍ角に形成される。
【００４０】
上述した実施形態は、あくまでも本発明の一態様にすぎず、本発明の範囲内で任意に変形可能である。
【図面の簡単な説明】
【００４１】
【図１】本発明の一実施形態を示す図であり、図２のＩ−Ｉ断面図である。
【図２】同じく平面図である。
【図３】閉塞部材を含む分解斜視図である。
【図４】同じく分解斜視図である。
【図５】別の実施形態を示す閉塞部材を含む分解斜視図である。
【図６】同じく分解斜視図である。
【図７】本発明の別の実施形態を示す図であり、図８のVII−VII断面図である。
【図８】同じく平面図である。
【図９】別の実施形態を示す筐体の斜視図である。
【図１０】Ａ〜Ｃは、別の実施形態を示す斜視図である。
【図１１】照明ラインとの関係を示す図である。
【図１２】照明ラインとの関係を示す図である。
【図１３】照明ラインとの関係を示す図である。
【図１４】照明との関係を示す図である。
【符号の説明】
【００４２】
１  天井埋込型空気調和機
２  筐体
４  吹出口
７  化粧パネル
８  遮蔽パネル
１１  送風機
１６  ドレンパン
２１  熱交換器
２３Ａ〜２３Ｄ  吹き出し空間
４３  閉塞部材
【図１】
2005155951.tif 000003
【図２】
2005155951.tif 000004
【図３】
2005155951.tif 000005
【図４】
2005155951.tif 000006
【図５】
2005155951.tif 000007
【図６】
2005155951.tif 000008
【図７】
2005155951.tif 000009
【図８】
2005155951.tif 000010
【図９】
2005155951.tif 000011
【図１０】
2005155951.tif 000012
【図１１】
2005155951.tif 000013
【図１２】
2005155951.tif 000014
【図１３】
2005155951.tif 000015
【図１４】
2005155951.tif 000016